(57)【要約】      （修正有）【課題】ユーザ自身のスケジュールとイベントスケジュールを携帯画面上に同時に表示するアプリケーションを提供する。【解決手段】イベント提供者がイベント情報を本アプリケーションに提供することで、分散したイベント情報が本アプリケーションに集約される。その結果、ユーザの好みのイベントのイベント情報を簡単にしかも迅速に検索可能で、検索されたイベントのスケジュールを含むイベント情報を容易に閲覧でき、ユーザ自身のスケジュールとイベント情報とを対比することで当該イベントへの参加の可否をユーザは容易に判断できる。参加する場合は、同画面にて参加登録を行うと、当該イベントがユーザ自身のスケジュールに取り込まれ表示される。【選択図】なし【特許請求の範囲】
【請求項１】
本アプリケーションに登録済のユーザ自身のスケジュール、本アプリケーションにイベント提供者が提供するイベントスケジュールおよび本アプリケーションにイベント提供者が提供するイベント概要とを本アプリケーションを利用するユーザが保有する携帯端末などの同一画面上に同時に表示し、登録済のユーザ自身のスケジュールとイベント提供者が提供するイベントスケジュールの各イベント行にはスケジュール表が配置され、スケジュール表の横軸は時間軸であって、時間単位（時間、日、週、月、年）で分割され、かつユーザ自身のスケジュールおよびイベントスケジュールの該当する期間の四角のブロックは塗りつぶされており、ユーザはイベントスケジュールおよびイベント概要を参照しつつ、ユーザ自身のスケジュールとイベントスケジュールのスケジュール表を対比しながら、イベントへの参加の可否を判断し、参加する場合は、イベントスケジュールのスケジュール表上の塗りつぶされた四角のブロックをタッチすることで、当該イベントのスケジュールがユーザ自身のスケジュールおよびスケジュール表に自動的に取り込まれ（登録され）、また、ユーザ自身の独自イベントのスケジュールは、イベント概要画面に名称、時間、場所などの必要事項を入力または選択することで構築可能であり、構築後表示されるイベントスケジュールのスケジュール表上の塗りつぶされた四角のブロックをタッチすることで、当該イベントのスケジュールがユーザ自身のスケジュールおよびスケジュール表に自動的に取り込まれ（登録され）ることを特徴とする携帯端末用イベント表示アプリケーション。
【発明の詳細な説明】
【技術分野】
【０００１】
本発明は、ユーザ自分のスケジュールとイベントスケジュールなどのイベント情報をたとえば携帯端末の同一画面上に同時に表示できるアプリケーションに関するものである。
【背景技術】
【０００２】
特に携帯端末は広く一般に普及し、情報収集を始め、様々な用途で活用されている。たとえば各観光地のホテルあるいは旅館の情報を迅速に収集し、好ましいホテルあるいは旅館が見つかり、スケジュールも調整可能で、かつ前記ホテルあるいは旅館を予約したい場合など、同じアプリケーションでその予約まで可能なアプリケーションも存在し、実用に共されている。また、ユーザのスケジュールを登録および閲覧できるカレンダーアプリケーションも多種存在し、実用に共されている。
【０００３】
また、あちこちに分散しているイベント情報をユーザが携帯端末で収集する場合、検索用アプリケーションを利用して検索したり、あるいはイベント提供者が提供するＷｅｂなどを閲覧しイベント情報を収集することが可能である。
【０００４】
しかしながら、収集したイベント情報の中で参加したいイベントが見つかれば、そのイベントのスケジュールをメモ帳などに記録しておき、今度はカレンダーアプリケーションを開き、ユーザ自身のスケジュールと上記イベントとのスケジュールの整合性を確認し、整合する（すなわち当該イベントに参加可能）場合はユーザ自身のスケジュールに当該イベントのスケジュールを登録できるが、ユーザ自身のスケジュールと上記イベントとのスケジュールが整合しない（すなわち当該イベントには参加不可）場合、再度イベント情報を収集するために別のアプリケーションを開き、探索する作業を繰り返すなど、煩雑な作業を要する。
【発明の概要】
【発明が解決しようとする課題】
【０００５】
解決しようとする課題は、ユーザが興味を持つイベントのスケジュールをユーザ自身のスケジュールに取り込む際、各種イベントに関するアプリケーション（Ｗｅｂを含む）をそれぞれ開き、イベント情報を確認し、参加したいイベントが見つかれば、そのイベントのスケジュールをメモ帳などに記録しておき、今度はカレンダーアプリケーションを開き、そこに先ほど記録したイベントを入力すると言う煩雑なステップが必要である点である。
【課題を解決するための手段】
【０００６】
本発明の携帯端末用イベント表示アプリケーションは、本アプリケーションに登録済のユーザ自身のスケジュール、本アプリケーションにイベント提供者が提供するイベントスケジュールおよび本アプリケーションにイベント提供者が提供するイベント概要とを本アプリケーションを利用するユーザが保有する携帯端末などの同一画面上に同時に表示し、登録済のユーザ自身のスケジュールとイベント提供者が提供するイベントスケジュールの各イベント行にはスケジュール表が配置され、スケジュール表の横軸は時間軸であって、時間単位（時間、日、週、月、年）で分割され、かつユーザ自身のスケジュールおよびイベントスケジュールの該当する期間の四角のブロックは塗りつぶされており、ユーザはイベントスケジュールおよびイベント概要を参照しつつ、ユーザ自身のスケジュールとイベントスケジュールのスケジュール表を対比しながら、イベントへの参加の可否を判断し、参加する場合は、イベントスケジュールのスケジュール表上の塗りつぶされた四角のブロックをタッチすることで、当該イベントのスケジュールがユーザ自身のスケジュールおよびスケジュール表に自動的に取り込まれ（登録され）、また、ユーザ自身の独自イベントのスケジュールは、スケジュール概要画面に名称、時間、場所などの必要事項を入力または選択することで構築可能であり、構築後表示されるイベントスケジュールのスケジュール表上の塗りつぶされた四角のブロックをタッチすることで、当該イベントのスケジュールがユーザ自身のスケジュールおよびスケジュール表に自動的に取り込まれ（登録され）ることを特徴とする。
【発明の効果】
【０００７】
イベント提供者がイベント情報を本アプリケーションに提供することで、分散したイベント情報が本アプリケーションに集約され、その結果、ユーザの好みのイベントのイベント情報を簡単にしかも迅速に検索可能で、検索されたイベントのスケジュールを含むイベント情報を容易に閲覧でき、ユーザ自身のスケジュールとイベント情報とを対比することで当該イベントへの参加の可否をユーザは容易に判断でき、参加する場合は、同画面にて簡単に参加登録が可能で、当該イベントがユーザ自身のスケジュールに取り込まれ表示されるという利点があり、従来の煩雑な操作が簡略化される。
【図面の簡単な説明】
【０００８】
【図１】図１は、ユーザの携帯端末表示画面１であり、ユーザ自身のスケジュール（図１では、「自分のスケジュール」と表記されている。）ブロック、イベントスケジュールブロック、さらにイベント概要ブロックなどを同一画面に同時に表示した表示画面例であり、画面全体を「スケジュール」と呼ぶ。（実施例１）
【図２】図２は、ユーザの携帯端末表示画面２であり、図１からイベント概要ブロックを非表示にし、画面から隠れていた他のイベントスケジュールブロックをロールアップして表示したユーザの携帯端末表示画面であり、ユーザ自身のスケジュール（図２では、「自分のスケジュール」と表記されている。）ブロックと複数のイベントスケジュールブロックなどを同一画面に同時に表示した表示画面例である。（実施例２）
【発明を実施するための形態】
【０００９】
本発明は、イベント提供者がイベント情報を本アプリケーションに提供し、本発明のアプリケーションをユーザがユーザ自身の携帯端末などにインストールし、本アプリケーションを実行することで実現する。
【実施例】
【００１０】
（実施例１）本アプリケーションが提供する検索画面（図示せず）にジャンルや名称などを入力もしくは選択することで検索を実行すると、図１で示す画面に移行して来る。検索については、一般的に使用されている検索方法のため、ここではその詳細の説明と検索画面の例は省略する。また、ユーザの携帯端末の設定に依存するが、ユーザがアプリケーションを閉じて再度開く時、閉じる際の画面を表示するような設定になっている場合は、前記検索画面を経ることなく、図１で示す画面が即座に表示される。
【００１１】
ユーザ自身のスケジュールブロック２には、各イベントの第１名称５、イベントの第２名称６、イベントの開催日または開催開始日７、イベントの開始時間８、イベントの第１開催場所（場所１）９、イベントのスケジュール表１０が表示され、登録済みのユーザが参加するイベントおよびユーザ独自のイベントのみが開催時期の早いものから順番に表示され、それ以外のイベントは表示されない。
ユーザ自身のスケジュールブロック内をタッチしたまま上下に画面をスクロールすると現在表示されているイベント以外の登録済のイベントが表示される。
【００１２】
スケジュール表１０の横軸は時間軸であって、時間単位（時間、日、週、月、年）で分割され、かつユーザ自身のスケジュールの内、ユーザが参加可能なイベントの開催時期に該当する四角のブロックは塗りつぶされている。スケジュール表エリアをタッチしたまま画面を左右にスクロールすると現在表示されている期間の前または後の期間が表示され、それと連動して、その期間内でユーザが参加予定のイベント（すなわち、塗りつぶされた四角のブロックが存在するイベント）のイベント行に切り替わる。ここでは、イベントの名称、開催場所およびスケジュール表等を含む１行を「イベント行」と呼び、ひとつの「イベント行」をひとつのイベントと呼ぶことにする。すなわち、例えば、同じ第１名称のイベントでも、開催時期、開催期間が異なれば、別のイベントとする。
【００１３】
ユーザ自身のスケジュールブロックのイベント行をタッチすると、ユーザ自身のスケジュールブロックの下段に表示されているイベントスケジュールブロックには、タッチされたイベント行のイベントと第１名称が同じイベントが表示される。あるいは、検索画面で検索されたイベントのイベントスケジュールが表示される。イベントスケジュールブロックには、各イベントの第１名称（名称１）、イベントの第２名称（名称２）、イベントの開催日または開催開始日、イベントの開始時間、イベントの第１開催場所（場所１）、イベントのスケジュール表が表示され、イベントスケジュールブロックの列の表示項目は、前記ユーザ自身のスケジュールブロックと同じである。ひとつのイベントスケジュールブロックには、同一第１名称のイベントで開催時期の早いものから順番に表示される。
【００１４】
イベントスケジュールブロック内のスケジュール表の横軸は時間軸であって、時間単位（時間、日、週、月、年）で分割され、かつイベントスケジュールの開催時期に該当する四角のブロックは塗りつぶされている。時間軸は、ユーザ自身のスケジュールブロック内のスケジュール表の時間軸と同じである。スケジュール表エリアをタッチしたまま画面を左右にスクロールすると現在表示されている期間の前または後の期間が表示され、それと連動して、スケジュール表エリアの左側に表示されるイベントは、その期間内で開催予定のイベント（すなわち、塗りつぶされた四角のブロックが存在するイベント）に切り替わる。
【００１５】
図１を参照すると、例えば、イベントスケジュールブロック内には、第１名称が○○会の５つのイベントと各イベントのスケジュールおよびスケジュール表が表記されており、スケジュール表には、開催時期に該当する４角のブロックが塗りつぶされている。イベントスケジュールブロック内の上か１番目と３番目のイベントは、ユーザ自身のスケジュールブロック内の上から１番目と５番目に表記されているので、ユーザはこのふたつのイベントには参加することを意味し、一方、イベントスケジュールブロック内の上か２番目のイベントは、ユーザ自身のスケジュールブロック内には表記が無いので、イベント提供者がイベントを計画しているものの、ユーザは本イベントには参加しないことを意味する。
【００１６】
イベントスケジュールブロックのイベント行をタッチすると、イベントスケジュールブロックの下段にはそのイベントのイベント概要ブロックが表示される。あるいは、検索画面で検索されたイベントのイベント概要ブロックが表示される。
イベント概要ブロックには、イベントのジャンル１、ジャンル２、第１名称（名称１）、第２名称（名称２）、開催期間、開始時間、第１開催場所（場所１）、第２開催場所（場所２）、及び概要などが表示される。これらは本アプリケーションが提供するフォームにイベント提供者が内容を記載し、本アプリケーションに登録したものである。
イベント概要ブロックをタッチしたまま上下に画面をスクロールするとイベントスケジュールブロックに表示されているイベントのイベント概要が順次表示される。
【００１７】
本イベント概要ブロックは、イベント提供者が提供するイベント以外のユーザ独自のイベントの登録にも利用可能であり、前記イベント概要ブロック内の不要部分を削除し、必要部分を記入または選択するとユーザ独自のイベントのイベントスケジュールブロックがユーザ自身のスケジュールブロックの下段に追加される。そのイベントブロック内のイベント行のスケジュール表の塗りつぶされた四角のブロックをタッチするとそのイベント行がユーザ自身のスケジュールブロック内に追加される。
【００１８】
本イベント概要ブロックは、イベント検索画面としても利用可能であり、イベント概要ブロック内の不要部分を削除し、必要部分を記入または選択すると、該当するイベントのイベントスケジュールブロックおよびイベント概要ブロックが追加され、イベントスケジュールブロックまたはイベント概要ブロックをタッチしたまま上下に画面をスクロールすると該当する全てのイベントを表示することが可能である。
たとえば、開催場所（場所１）にユーザが現在居る場所と現在の日にち（開催日または開催開始日）の２項目のみ入力し、それ以外の項目を空欄にすると、その日にユーザの近辺で開催される登録済みのイベントが全て表示可能となり、ユーザは各種イベントのイベント情報を簡単に閲覧でき、好みのイベントへの参加の意思決定を容易にする。
【００１９】
（実施例２）図２は、登録済のユーザ自身のスケジュール（図２では、「自分のスケジュール」と表記されている。）ブロック２と４個の第１〜４のイベントスケジュールブロック（３、１２、１３、１４）などを同一画面上に同時に表示した表示画面例である。実施例１で説明したイベント概要を非表示にして、画面から隠れていた他のイベントスケジュールをロールアップして表示したものである。イベント概要の表示、非表示は、イベント概要エリア上段のイベントスケジュールブロック内のイベント行をタッチ、再タッチすることで実行される。
【００２０】
図２を参照すると、例えば、イベントスケジュールブロックの上から２番目のイベントスケジュールブロック１２内の最上位のイベント行がユーザ自身のスケジュールブロック２内の上から４行目にも表示があり、これはユーザが本イベントに参加することを意味する。また、イベントスケジュールブロックの上から３番目のイベントスケジュールブロック１３内の最上位のイベント行のスケジュール表には塗りつぶされた四角のブロックが連続して存在するが、これは一定期間を有するイベントを意味し、一定期間が存在するものの、ユーザはその内４／１５のイベントのみ参加するため、ユーザ自身のスケジュールブロック内には４／１５のイベントのみ表示され、その他の期間のイベントには、参加しないことを意味する。
【００２１】
ユーザ自身のスケジュールおよびイベントスケジュールについての詳細は、実施例１で説明したとおりであるため、ここでは省略する。
【産業上の利用可能性】
【００２２】
ユーザが分散した各種イベントをひとつのアプリケーションで検索でき、イベントのスケジュールを含むイベント情報を知り、好みのイベントが見つかった場合、自分自身のスケジュールとイベントのスケジュールとを同一画面で対比することができるため、そのイベントへの参加の可否の判断とそのイベントのユーザ自身のスケジュールへの取り込み（登録）が容易にでき、しかもそれらが１つのアプリケーションでかつ簡便に実行することができるため、本発明をユーザが利用することで、イベントが多くのユーザーに認知され、イベントへの参加者の数を増やすことができ、経済活動の活性化を促す。
【符号の説明】
【００２３】
１  携帯端末表示画面
２  ユーザ自身のスケジュールブロック
３  第１イベントスケジュールブロック
４  イベント概要ブロック
５  イベントの第１名称
６  イベントの第２名称
７  イベントの開催日または開催開始日
８  イベントの開始時間
９  イベントの第１開催場所（場所１）
１０  ユーザ自身のスケジュールブロック内のスケジュール表
１１  イベントスケジュールブロック内のスケジュール表
１２   第２イベントスケジュールブロック
１３   第３イベントスケジュールブロック
１４   第４イベントスケジュールブロック
【図１】
2019021265.tif 000002
【図２】
2019021265.tif 000003